(57)【要約】【課題】弾性固定構造を有するディスプレイを提供すること。【解決手段】第１パネル、第２パネル、及び弾性環状体でディスプレイを構成する。第２パネルは第１パネルに設置される。弾性環状体は第１部分及び第２部分を含み、第１部分は内側に凹面を有し、第２部分は第１部分の内側の凹面から延伸して突出する。弾性環状体は、その内側の凹面が、第１パネル及び第２パネルの外側縁を取り囲んで緊密に覆い、第２部分は、第１パネル及び第２パネル間を挟持し、第１パネル及び第２パネル間に隙間をもたせる。【選択図】図４
2010146002.tif 000002
【特許請求の範囲】
【請求項１】
第１パネルと、
第１パネルに設置される第２パネルと、
内側に凹面を有する第１部分と、
第１部分の凹面から延伸して突出した第２部分とを備える弾性環状体と、
を有する含むディスプレイであって、
弾性環状体が、その内側の凹面が第１パネル及び第２パネルの外側縁を取り囲んで緊密に覆い、第２部分が第１パネル及び第２パネル間を挟持し、第１パネル及び第２パネル間に隙間を有する
ことを特徴とするディスプレイ。
【請求項２】
弾性環状体の第１部分及び第２部分が、一体型である
請求項１に記載のディスプレイ。
【請求項３】
第１パネルが、液晶表示パネルである
請求項１または２に記載のディスプレイ。
【請求項４】
第２パネルが、タッチパネル、ガラス板、アクリル板のいずれかである
請求項１ないし３のいずれかに記載のディスプレイ。
【請求項５】
弾性環状体が、ゴム部品である
請求項１ないし４のいずれかに記載のディスプレイ。
【請求項６】
弾性環状体が、噴射方法による成形品である
請求項１ないし５のいずれかに記載のディスプレイ。
【請求項７】
第１パネル及び第２パネルが、それぞれ頂面及び底面を有し、第２パネルの底面が第１パネルの頂面に面する
請求項１ないし６のいずれかに記載のディスプレイ。
【請求項８】
弾性環状体の縁の陥凹部が、第２パネルの頂面の周辺縁部を覆い、かつ第１パネルまで延伸し、その別の縁の陥凹部が第１パネルの底面の周辺縁部を覆う
請求項７に記載のディスプレイ。
【請求項９】
弾性環状体の陥凹した縁及び陥凹した別の縁が、弾性環状体の内側の凹面を形成する
請求項８に記載のディスプレイ。
【請求項１０】
弾性環状体の第２部分が、第２パネルの底面の周辺縁部及び第１パネルの頂面の周辺縁部間を挟持する
請求項７ないし９のいずれかに記載のディスプレイ。
【発明の詳細な説明】
【技術分野】
【０００１】
本発明は、ディスプレイ、特に弾性固定構造を有するディスプレイに関する。
【背景技術】
【０００２】
近年、ディスプレイに関連した技術は進化し続けていて、液晶ディスプレイなど各種ディスプレイは、しだいに市場の主流製品となっている。
【０００３】
液晶ディスプレイを例に挙げると、通常液晶パネルに保護板（例えば、簡単なものでは透明板または強化ガラスなど）を設置し、液晶パネルが外部から直接損傷を受けないようにする。このほか、現在市場ではタッチパネル機能を有するタッチパネル式液晶ディスプレイが、一般の消費者の注目を集めている。この場合、液晶パネルにタッチパネルを増設して、前述のタッチパネル機能をもたせる。
【０００４】
すなわち、液晶ディスプレイの組立において、液晶表示パネル及びタッチパネル、透明板、または強化ガラスを互いに貼付することが必要となる。従来、貼付作業には、両面接着またはその他の粘性物質による接着方法が多く採用されている。
【０００５】
図１は、従来の液晶ディスプレイであり、両面接着により液晶表示パネル及びタッチパネルを接着するのを示した正面断面説明図である。図１に示すように、ディスプレイ１は液晶表示パネル１１、タッチパネル１２、及び接着物１３を含む。図示のように、液晶表示パネル１１は接着物１３によりタッチパネル１２と互いに貼付され、固定されている。図２は、図１の液晶表示パネル１１、タッチパネル１２、及び接着物１３をそれぞれ分解して示した斜視説明図である。
【０００６】
しかし、前述の従来手法には以下のような欠点がある。液晶表示パネル１１及びタッチパネル１２を接着物１３により貼付した後に、タッチパネル１２が液晶表示パネル１１の不正確な位置に貼付されたため再加工するとき、または液晶表示パネル１１もしくはタッチパネル１２を個別に補修するとき、両者を分離するのは容易ではない。なおかつ分解するときに力が強すぎて、液晶表示パネル１１またはタッチパネル１２を損傷する可能性もある。
【０００７】
図３は、従来の液晶ディスプレイ２の内部構造を示した一部正面断面説明図である。前述したタッチパネル２２及び液晶表示パネル２１の間の接着物２３以外に、液晶ディスプレイ２のベゼル２７及びタッチパネル２２の間に、ソフトガスケット２４をさらに有し、ベゼル縁部２７１及びソフトガスケット２４により、タッチパネル２２及び液晶表示パネル２１が強固に固定される。しかし、この種の従来手法では、余分な部品が多く必要で、液晶ディスプレイの総生産コストを下げるのが難しく、かつ組立も難しい。
【発明の概要】
【発明が解決しようとする課題】
【０００８】
そこで、本発明は、上述した問題点を解決する弾性固定構造を有するディスプレイを提供することを課題とする。
【課題を解決するための手段】
【０００９】
本発明のディスプレイは、一体型の弾性固定構造（例えばゴム環状体）により、液晶表示パネル及び別のパネル（例えばタッチパネル）を効果的に固定し、組立及び分解も容易なものとする。
弾性固定構造の一部は、液晶表示パネル及び別のパネル間を挟持し、隙間が形成される。したがって、全体または個別の要素の再加工や補修を行う場合でも、すでに固定された液晶表示パネル及び別のパネルを分離して液晶表示パネルまたは別のパネルが損傷する、という問題が起こらない。
【００１０】
本発明による具体的な実施例のディスプレイは、第１パネル、第２パネル、及び弾性環状体を含む。第２パネルは第１パネル上に設置される。弾性環状体はさらに第１部分及び第２部分を含み、第１部分は内側に凹面を有し、第２部分は第１部分の内側の凹面から延伸して突出する。弾性環状体はその内側の凹面が、第１パネル及び第２パネルの外側縁を取り囲んで緊密に覆う。第２部分は、第１パネル及び第２パネル間を挟持し、第１パネル及び第２パネル間に隙間をもたせる。
【００１１】
第１パネル及び第２パネルはそれぞれ頂面及び底面を有する。第２パネルの底面は、第１パネルの頂面に面している。弾性環状体の縁の陥凹部が、第２パネルの頂面の周辺縁部を覆い、かつ第１パネルに延伸し、別の縁の陥凹部が、第１パネルの底面の周辺縁部を覆う。弾性環状体の内側の凹面は弾性環状体の陥凹した縁及び陥凹した別の縁により形成される。弾性環状体の第２部分については、第２パネルの底面の周辺縁部及び第１パネルの頂面の周辺縁部間を挟持する。
【００１２】
好適な実施例では、弾性環状体の第１部分及び第２部分は一体型である。第１パネルは液晶表示パネル、第２パネルはタッチパネル、ガラス板、またはアクリル板であり、弾性環状体はゴム部品で、噴射方法によって成形される。
【００１３】
従来技術と比較して、本発明によるディスプレイは、含まれる一体型の弾性固定構造（例えばゴム環状体）により、液晶表示パネル及び別のパネルを効果的に固定することができ、後に液晶ディスプレイ全体または個別の要素を再加工するときも、従来手法で生じる問題が発生しない。同時に液晶ディスプレイが元々有すべき防水及び防塵機能にも支障がない。
【００１４】
このほか、本発明によるディスプレイは従来の固定構造における、貼付、固定、または支持部品を省くことができ、組立及び分解も比較的容易である。また、弾性環状体の材料（例えばゴム）コストも相当安価である。したがって、ディスプレイの製造工程を大幅に簡素化し、生産コストも下げることができる。
【図面の簡単な説明】
【００１５】
【図１】従来の液晶ディスプレイであり、両面接着により液晶表示パネル及びタッチパネルを接着するのを示した正面断面説明図。
【図２】図１の液晶表示パネル１１、タッチパネル１２、及び接着物１３をそれぞれ分解して示した斜視説明図
【図３】従来の液晶ディスプレイ２の内部構造を示した一部正面断面説明図
【図４】本発明の第１の具体的実施例で、ディスプレイが弾性環状体により、液晶表示パネル及びタッチパネルを固定するのを示した正面断面説明図
【図５】図４の液晶表示パネル３１、タッチパネル３２、及び弾性環状体３３をそれぞれ分解して示した斜視説明図
【図６】弾性環状体３３の第１部分及び第２部分を図示した正面断面説明図
【発明を実施するための形態】
【００１６】
以下に、図面を基に本考案の実施形態を説述する。なお、本考案の趣旨から逸脱しない範囲で、従来公知の技術を援用して適宜設計変更可能である。
【００１７】
本発明は、弾性固定構造を有するディスプレイを提供する。ディスプレイは液晶ディスプレイであり、一体型の弾性固定構造（例えばゴム環状体）により、液晶表示パネル及び別のパネルを効果的に固定し、かつ組立及び分解が容易である利点を有する。
【００１８】
図４は、本発明の第１の具体的実施例で、ディスプレイが弾性環状体により、液晶表示パネル及びタッチパネルを固定するのを示した正面断面説明図である。図４に示すように、液晶ディスプレイ３は液晶表示パネル３１、タッチパネル３２、及び弾性環状体３３を含む。なお、液晶ディスプレイ３内に、その他の要素、例えば、バックライトモジュール、光学膜などが含まれるが、本実施例では、説明及びこれら要素の機能の図示を行わない。
【００１９】
タッチパネル３２は、液晶表示パネル３１上に固定するパネル、例えば一般の透明板、強化ガラス板、またはアクリル板など、すべてに置きかえることができ、本実施例で述べたタッチパネル３２に限定されない。
【００２０】
弾性環状体３３については、ゴム材料またはその他の弾性を有する材料からなり、射出成形法、２重射出成形法、またはその他の製造方法により成形される。
【００２１】
ディスプレイ３は、弾性環状体３３が液晶表示パネル３１及びタッチパネル３２の外側縁を取り囲んで緊密に覆い、液晶表示パネル３１及びタッチパネル３２の間に一定の隙間を維持することができる。これにより、液晶表示パネル３１がタッチパネル３２に接触して摩擦が生じ、摩耗が起こるのを防止する。図５は、図４の液晶表示パネル３１、タッチパネル３２、及び弾性環状体３３をそれぞれ分解して示した斜視説明図である。
【００２２】
図６は、弾性環状体３３の第１部分及び第２部分を図示した正面断面説明図である。そのうち、ディスプレイ３の弾性環状体３３の構造について、以下に説明する。
【００２３】
図６に示すように、弾性環状体３３は第１部分３３１及び第２部分３３２（点線で囲んだ部分）を含む。第１部分３３１の内側に凹面３３１０を有し、第２部分３３２は、第１部分３３１の凹面３３１０から延伸し突出する。
【００２４】
本実施例では、液晶表示パネル３１は頂面３１１及び底面３１２を有する。タッチパネル３２も頂面３２１及び底面３２２を有し、タッチパネル３２の底面３２２は、液晶表示パネル３１の頂面３１１に面する。弾性環状体３３の縁３３３の陥凹部がタッチパネル３２の頂面３２１の周辺縁部を覆い、かつ液晶表示パネル３１に延伸し、弾性環状体３３の別の縁３３４の陥凹部が液晶表示パネル３１の底面３１２の周辺縁部を覆う。弾性環状体３３の内側の凹面３３１０は、弾性環状体３３が陥凹した縁３３３、及び陥凹した別の縁３３４より形成される。このほか、弾性環状体３３の第２部分３３２は、タッチパネル３２の底面３２２の周辺縁部、及び液晶表示パネル３１の頂面３１１の周辺縁部間を挟持する。
【００２５】
好ましくは、弾性環状体３３の第１部分３３１及び第２部分３３２は一体型であり、弾性環状体３３の製造工程を簡素化し、優れた固定機能を発揮するが、本発明はこれに限定されない。
【００２６】
続いて、弾性環状体３３の第１部分３３１及び第２部分３３２が有する異なる機能を、以下に説明する。
【００２７】
本実施例では、第１部分３３１の主要な機能は、その内側の凹面３３１０が液晶表示パネル３１及びタッチパネル３２の外側縁を取り囲んで緊密に覆うことにより、液晶表示パネル３１及びタッチパネル３２を固定する。
【００２８】
第１部分３３１の凹面３３１０から延伸して突出する第２部分３３２は、タッチパネル３２の底面３２２の周辺縁部、及び液晶表示パネル３１の頂面３１１の周辺縁部間を挟持して、液晶表示パネル３１及びタッチパネル３２の間に一定の隙間を維持することで、液晶表示パネル３１がタッチパネル３２に接触して摩擦が生じ、摩耗が起こるのを防止する。
【００２９】
このほか、弾性環状体３３は弾性を有する材料（例えばゴム）からなり、かなり優れた弾性を有する。そのため、弾性環状体３３が液晶表示パネル３１及びタッチパネル３２の固定に用いられるとき、弾性環状体３３は液晶表示パネル３１及びタッチパネル３２との間の干渉効果によりクランプ力が生じ、液晶表示パネル３１及びタッチパネル３２間が相互に固定され、安定した相対位置を維持することができる。前述のクランプ力は、弾性環状体３３から内向きに、取り囲まれて覆われた液晶表示パネル３１及びタッチパネル３２に与えられる。
【００３０】
総合して述べると、従来技術と比較して、本発明のディスプレイ３が採用した弾性環状体３３の固定方法は、以下の効果及び利点を有する。
【００３１】
まず、弾性環状体３３は、従来の両面接着の貼付方法より、組立及び分解が容易である。そのため、すでに固定したタッチパネル３２及び液晶表示パネル３１を改めて固定する必要があるとき、またはディスプレイ３の全体あるいは個別の要素の再加工、補修を行うとき、本発明の弾性環状体３３は容易に組立及び分解ができる。従来の両面接着の貼付方法より時間と体力の節約になる以外に、液晶表示パネル３１またはタッチパネル３２が損傷する問題も起こらない。
【００３２】
次に、従来の固定構造と比較して、本発明によるディスプレイ３は、貼付、固定、または支持部品の使用を節約することができる。例えば、図３において、従来の液晶ディスプレイ２に設置したベゼル２７のベゼル縁部２７１及びタッチパネル２２間のソフトガスケット２４、またはタッチパネル２２及び液晶表示パネル２１間の接着物２３などを減らせる。また弾性環状体３３の材料（例えばゴム）コストは相当安価である。したがって、ディスプレイの製造工程を大幅に簡素化し、生産コストを下げることができる。
このほか、ディスプレイ３は元々有すべき防水及び防塵機能を依然として維持していて、本発明の弾性固定方法を採用したために支障をきたすことはない。したがって、タッチパネル３２及び液晶表示パネル３１は、クリーンルームで組立後、クリーンルームの外に運び、ディスプレイ３の外枠とさらなる組立を行う。
【００３３】
以上好適な具体的実施例により、本発明の特徴及び趣旨をさらに詳しく記述したが、前述の開示した好適な具体的実施例は、本発明の範疇を限定しない。反対にその目的は、本発明が申請する特許請求の範囲の範疇における各種変更及び相同性を有する措置を包括することである。
【符号の説明】
【００３４】
１  ディスプレイ
３  ディスプレイ
１１  液晶表示パネル
２１  液晶表示パネル
３１  液晶表示パネル
１２  タッチパネル
２２  タッチパネル
３２  タッチパネル
１３  接着物
２３  接着物
２４  ソフトガスケット
２７  ベゼル
２  液晶ディスプレイ
２５  支持部
２６  タッチパネル制御器
２７    外枠
２７１  ベゼル縁部
３３  弾性環状体
３３１  第１部分
３３２  第２部分
３１１  液晶表示パネルの頂面
３１２  液晶表示パネルの底面
３２１  タッチパネルの頂面
３２２  タッチパネルの底面
３３３  弾性環状体の縁
３３４  弾性環状体の別の縁
３３１０  凹面
【図１】
2010146002.tif 000003
【図２】
2010146002.tif 000004
【図３】
2010146002.tif 000005
【図４】
2010146002.tif 000006
【図５】
2010146002.tif 000007
【図６】
2010146002.tif 000008